(57)【要約】  本発明はタブレットＰＣの収納が可能に第１本体部と第２本体部がヒンジ結合された本体を有するタブレットＰＣ用ケースに関するものである。本発明によるタブレットＰＣ用ケースは、第１本体部に対して出入り可能に設置されて、選択的に第１本体部の外方へ引出されるベース部材と；第１本体部と第２本体部が互いに開かれて、タブレットＰＣが傾斜して露出された状態で、第１本体部の外方に引出されたベース部材に対して第２本体部を支持するサポート部材と；を含むことを特徴とする。
2014508356.tif 000002
【特許請求の範囲】
【請求項１】
タブレットＰＣの収納が可能に第１本体部と第２本体部とがヒンジ結合された本体を有するタブレットＰＣ用ケースにおいて、
前記第１本体部に対して出入り可能に設置されて、選択的に前記第１本体部の外方へ引出されるベース部材と；
前記第１本体部と第２本体部が互いに開かれて、前記タブレットＰＣが傾斜して露出された状態で前記第１本体部の外に引出された前記ベース部材に対して前記第２本体部を支持するサポート部材と；を含むことを特徴とするタブレットＰＣ用ケース。
【請求項２】
前記サポート部材は、一端が前記第２本体部及びベース部材の中の何れか一つにヒンジ結合され、その他端が前記第２本体部及びベース部材の中の他の一つによって支えられることを特徴とする請求項１に記載のタブレットＰＣ用ケース。
【請求項３】
前記サポート部材の他端を支える部分には所定間隔で係止部が形成されたことを特徴とする請求項２に記載のタブレットＰＣ用ケース。
【請求項４】
前記第１本体部と第２本体部はそれぞれ板状体によって形成され、前記ベース部材は前記第１本体部の平面と平行する方向にスライディングして出入りされることを特徴とする請求項２に記載のタブレットＰＣ用ケース。
【請求項５】
前記サポート部材は所定長さを有し、
前記サポート部材が前記第２本体部から開かれる回動角が前記第１本体部と第２本体部との間の角度と比例することを特徴とする請求項２に記載のタブレットＰＣ用ケース。
【請求項６】
前記ベース部材には柔軟性素材の取っ手部が備えられ、
前記ベース部材には前記第１本体部内に完全に収納された状態で、前記第１本体部に締結されるロッキング部材が設けられたことを特徴とする請求項２に記載のタブレットＰＣ用ケース。
【請求項７】
前記第１本体部及び第２本体部の中の何れか一つに位置し、前記第１本体部内に収納されたベース部材を外に押し出す方向に可動されるエゼクタと；
前記第１本体部及び第２本体部の中の他の一つに位置して、前記第１本体部と第２本体部が互いに開かれる動作に連動して前記エゼクタを駆動する作動部材と；をさらに含むことを特徴とする請求項２に記載のタブレットＰＣ用ケース。
【請求項８】
前記第１本体部及び第２本体部の中の何れか一つの外部面に両端が結着されて、使用者の手の部分を収容する把持用ストラップをさらに含むことを特徴とする請求項１に記載のタブレットＰＣ用ケース。
【請求項９】
タブレットＰＣの収納が可能に第１本体部と第２本体部とがヒンジ結合された本体を有するタブレットＰＣ用ケースにおいて、
前記第１本体部及び第２本体部の中の何れか一つの外部面に両端が結着されて、使用者の手の部分を収容する把持用ストラップを備えることを特徴とするタブレットＰＣ用ケース。
【発明の詳細な説明】
【技術分野】
【０００１】
本発明はタブレットＰＣ用ケースに関するもので、さらに詳しくは、タブレットＰＣを収納するためのフォルダ構造を有するタブレットＰＣ用ケースに関するものである。
【０００２】
本出願は２０１１年２月１６日に出願された韓国特許出願第１０−２０１１−００１３４８９号と２０１２年２月１６日に出願された韓国特許出願第１０−２０１２−００１５９９３号に基づいた優先権を主張し、当該出願の明細書及び図面に開示された全ての内容は本出願に援用される。
【背景技術】
【０００３】
最近、需要が急増しているタブレットＰＣのような携帯用電子機器は別途のカバーのない薄型プレート形態で発売されている。
【０００４】
このような携帯用電子機器は、一面に液晶画面が露出されるため、外部の衝撃によって容易に破損される虞があることから、これを収納して保護するためのケースが要求される。
【０００５】
通常、タブレットＰＣ用ケースはタブレットＰＣを収納するためのフォルダ構造を有する。このようなタブレットＰＣ用ケースは実質的に通常のダイアリーと非常に類似する形態で製作される。
【０００６】
しかしながら、従来のタブレットＰＣ用ケースは机の上に置いて使用する場合、使用者が頭を下げた状態を保持しなければならないため不便であり、且つ長期間使用すると体に負担をかける、という問題点がある。
【０００７】
代案として、韓国特許登録第０９９２４３６号には、カバーを本体で回動させて底面に配置させた状態で、第２本体部を回動させることによって、第１本体部がタブレットＰＣと所定角度を成しながらタブレットＰＣの前面が上向きに傾斜して固定され、固定された状態でタブレットＰＣの下端が上記カバーの固定突起に係止されて位置が固定されることを特徴とするタブレットＰＣ用ケースが開示されている。
【発明の概要】
【発明が解決しようとする課題】
【０００８】
しかし、上記韓国特許登録第０９９２４３６号に開示されたタブレットＰＣ用ケースは、使用者の体の条件や使用習慣に合わせて傾斜角度を自在に調節することが困難で、使用が不便である、という問題点がある。
【０００９】
本発明は上記のような問題点に鑑みて創案されたもので、収納されたタブレットＰＣの傾斜角度を多様に調節することができる角度調節器具が具備されたタブレットＰＣ用ケースを提供することにその目的がある。
【課題を解決するための手段】
【００１０】
上記のような目的を達するために、本発明はタブレットＰＣの収納が可能に第１本体部と第２本体部とがヒンジ結合された本体を有するタブレットＰＣ用ケースにおいて、上記第１本体部に対して出入り可能に設置されて、選択的に上記第１本体部の外方に引出されるベース部材と；上記第１本体部と第２本体部が互いに開かれて、上記タブレットＰＣが傾斜して露出された状態で、上記第１本体部の外方に引出された上記ベース部材に対して上記第２本体部を支持するサポート部材と；を含むことを特徴とする。
【００１１】
上記サポート部材は、一端が上記第２本体部及びベース部材の中の何れか一つにヒンジ結合され、その他端が上記第２本体部及びベース部材の中の他の一つによって支えられることが好ましい。
【００１２】
上記サポート部材の他端を支える部分には所定間隔で係止部が形成されていてもよい。
【００１３】
上記第１本体部と第２本体部はそれぞれ板状体によって形成され、上記ベース部材は上記第１本体部の平面と平行する方向にスライディングして出入りされることが好ましい。
【００１４】
上記サポート部材は所定長さを有し、上記サポート部材が上記第２本体部から開かれる回動角が上記第１本体部と第２本体部との間の角度と比例することが好ましい。
【００１５】
上記ベース部材の少なくとも一部は柔軟性素材からなり、上記ベース部材には上記第１本体部内に完全に収納された状態で上記第１本体部に締結されるロッキング部材が設けられていてもよい。
【００１６】
本発明によるタブレットＰＣ用ケースは、上記第１本体部及び第２本体部の中の何れか一つに位置し、上記第１本体部内に収納されたベース部材を外方に押し出す方向で可動されるエゼクタと；上記第１本体部及び第２本体部の中の他の一つに位置して、上記第１本体部と第２本体部が互いに開かれる動作に連動して上記エゼクタを駆動する作動部材と；をさらに含むことができる。
【００１７】
本発明によるタブレットＰＣ用ケースは、上記第１本体部及び第２本体部の中の何れか一つの外部面に両端が結着されて、使用者の手の部分を収容する把持用ストラップをさらに含むようにしてもよい。
【００１８】
本発明の他の側面によれば、タブレットＰＣの収納が可能に第１本体部と第２本体部とがヒンジ結合された本体を備え、上記第１本体部及び第２本体部の中の何れか一つの外部面に両端が結着されて、使用者の手の部分を収容する把持用ストラップを備えることを特徴とするタブレットＰＣ用ケースが提供される。
【発明の効果】
【００１９】
本発明によれば、フォルダ型ケースを開いた状態で、タブレットＰＣの傾斜角度を使用者の体の条件や使用習慣に合わせて自在に調節することができるので、楽な姿勢でタブレットＰＣを使用することができる。
【図面の簡単な説明】
【００２０】
【図１】本発明の好ましい実施例によるタブレットＰＣ用ケースの見掛けを示す斜視図である。
【図２】図１でベース部材及びサポート部材の作動を示す側面図である。
【図３】図１でベース部材の引き出し過程を示す平面図である。
【図４】図１でベース部材の構成を示す平面図である。
【図５】図１でベース部材の構成を示す平面図である。
【図６】図１でサポート部材の構成を示す平面図である。
【図７】図１でサポート部材の構成を示す平面図である。
【図８】本発明の好ましい実施例によるタブレットＰＣ用ケースに備えられるエゼクタの作動を示す平面図である。
【図９】本発明の好ましい実施例によるタブレットＰＣ用ケースに備えられる把持用ストラップの構成を示す背面図である。
【発明を実施するための形態】
【００２１】
本明細書に添付される図面は本発明の好ましい実施例を例示するものであり、後述する発明の詳細な説明とともに本発明の技術思想をさらに理解させる役割を果たすものであり、本発明はこのような図面に記載された事項のみに限定して解釈されてはならない。
【００２２】
以下、添付された図面を参照して本発明の好ましい実施例を詳しく説明する。説明に先立ち、本明細書及び特許請求の範囲に用いられた用語や単語は通常的または辞書的な意味に限定して解釈されてはならなく、発明者はその自分の発明を最も最善の方法で説明するために、用語の概念を適切に定義することができるという原則に即して、本発明の技術的思想に符合する意味及び概念に解釈すべきである。従って、本明細書に記載された実施例及び図面に示された構成は本発明の最も好ましい一実施例に過ぎず、本発明の技術的思想を代弁するものではないので、本出願時点においてこれらを代替することができる多様な均等物と変形例があり得ることを理解すべきである。
【００２３】
図１には本発明の好ましい実施例によるタブレットＰＣ用ケースの見掛けが示されており、図２には図１でタブレットＰＣ用ケースを開いた状態が示されている。
【００２４】
図１及び図２によれば、本発明の好ましい実施例によるタブレットＰＣ用ケースは、タブレットＰＣの収納が可能に第１本体部１０１と第２本体部１０２とがヒンジ結合された本体１００と、第１本体部１０１に対して出入り可能に設置されたベース部材（Ｂａｓｅ  ｍｅｍｂｅｒ）１１０と、ベース部材１１０に対して第２本体部１０２を支持するサポート部材（Ｓｕｐｐｏｒｔ  ｍｅｍｂｅｒ）１２０とを含む。
【００２５】
第１本体部１０１と第２本体部１０２はそれぞれ合成樹脂や硬質の布素材からなる板状体の構造を有し、一方の辺縁端が相互ヒンジ結合されることによって全体的にフォルダ構造を形成する。図面には省略されているが、第２本体部１０２の内側面には通常のタブレットＰＣが設置される。
【００２６】
図面には図示しないが、第２本体部１０２の一側面、好ましくは、長辺側の側面にはタブレットＰＣを縦に立てて挟み込むことができる所定の固定用溝が設けられることができる。この時、上記固定用溝が延長される長さは長方形タブレットＰＣの短辺の長さに相応することが好ましい。
【００２７】
ベース部材１１０は第１本体部１０１に対して出入り可能に設置される。ベース部材１１０は第１本体部１０１の平面と平行する方向にスライディング可能であり、図３に示すように、使用者が第１本体部１０１の後面で外方へ引っ張る動作によって選択的に第１本体部１０１の外方へ引出可能に設置される。
【００２８】
ベース部材１１０は、図４に示すようなプレート（Ｐｌａｔｅ）またはバー（Ｂａｒ）形状に構成されることができ、図５に示すように、軽量化のために、中空のプレートまたはバー形態に構成されることもできる。ベース部材１１０の具体的な形状は図面に示された例に限定されないで多様に変形可能である。
【００２９】
ベース部材１１０には長手方向に沿って所定間隔で溝または突起状の係止部１１２が備えられる。係止部１１２はサポート部材１２０の端部が滑らないように安定的に支える役割を果たす。
【００３０】
ベース部材１１０には所定の取っ手部と、第１本体部１０１または第２本体部１０２に設けられた所定の締結部に着脱可能に結合されるロッキング部材１１１とが設けられる。ここで、ベース部材１１０の取っ手部はロッキング部材１１１と隣接し、例えばシリコーンやゴム、布のような柔軟性素材からなることが好ましい。上記ベース部材１１０の取っ手部は使用者の把持が容易になるように外部に所定長さ突出されることが好ましい。
【００３１】
ロッキング部材１１１は溝及び突起構造で、上記締結部に押入されることによって結合されることができる。より好ましくは、ロッキング部材１１１は締結部に対応してスナップボタンや、ベルクロテープ、磁石などの形態で提供される。
【００３２】
サポート部材１２０は、一端が第２本体部１０２の外面にヒンジ結合され、他端はベース部材１１０によって支えられることによって、ベース部材１１０に対して第２本体部１０２を支持する機能をする。ここで、サポート部材１２０が第２本体部１０２から開かれる回動角は第１本体部１０１と第２本体部１０２との間の角度と比例することが好ましい。
【００３３】
サポート部材１２０は、図６に示すようなプレートまたはバー形態に構成されることができ、図７に示すように、軽量化のために、中空のプレートまたはバー形態に構成されていてもよい。図面には図示しないが、ベース部材１１０は実質的にワイヤ形態に構成されることもできる。サポート部材１２０の具体的な形状は図面に示された例に限定されないで、多様に変形可能である。
【００３４】
サポート部材１２０は第２本体部１０２の外面に形成された所定の凹入空間内に収納されて、一端に設けられたヒンジ軸１２１が第２本体部１０２にヒンジ結合され、その外部面は第２本体部１０２の外部面と同一平面上に位置することが好ましい。
【００３５】
図８に示すように、第１本体部１０１の一側には上記第１本体部１０１内に完全に収納されたベース部材１１０を外へ押し出す方向に可動されるエゼクタ１３０が設けられ、第２本体部１０２の一側には第１本体部１０１と第２本体部１０２が互いに開かれる動作に連動してエゼクタ１３０を駆動する作動部材１０３が設けられる。
【００３６】
エゼクタ１３０は回転軸を中心に第１本体部１０１の平面と平行する方向に回動可能な構造を有する。作動部材１０３は第２本体部１０２の開放動作に連動して動いてエゼクタ１３０の一端に力を加える。
【００３７】
作動部材１０３から力が伝達されてエゼクタ１３０が所定角度回動すると、これに連動してベース部材１１０が第１本体部１０１の外部に抜けて来るので、使用者は便利にベース部材１１０を引っ張って外部に引出することができる。エゼクタ１３０と作動部材１０３との間の結合関係は図面に示された例に限定されないで、多様な変形例があり得る。
【００３８】
第１本体部１０１の背面には、図９に示すように、外部面に両端が結着されて、使用者の手の部分を収容する把持用ストラップ（Ｓｔｒａｐ）１４０が設けられる。把持用ストラップ１４０は使用者が片手でタブレットＰＣ用ケースを把持した状態で、タブレットＰＣを使うことができるようにする機能を提供する。代案として、把持用ストラップ１４０は第２本体部１０２の外部面に備えられることができる。他の代案として、把持用ストラップ１４０は第１本体部１０１または第２本体部１０２の内部面に備えられることも可能である。この場合、第１本体部１０１と第２本体部１０２は相互引っ繰り返った状態で開かれて使われる。
【００３９】
把持用ストラップ１４０の両端を第１本体部１０１に結着するための技術的構成としては、ボルト及びナット、接着剤、溝及び突起構造など多様な締結手段を採用してもよい。
【００４０】
上記のような構成を有するタブレットＰＣ用ケースは、第１本体部１０１に対して第２本体部１０２を開いて第１本体部１０１の内側面に固定されたタブレットＰＣを傾斜して外部に露出させ、第１本体部１０１の後面外にベース部材１１０を引出した状態で第２本体部１０２に設けられたサポート部材１２０をベース部材１１０上に載せる方式で使われる。
【００４１】
タブレットＰＣはベース部材１１０に対して第２本体部１０２を支持するサポート部材１２０によって傾斜された固定状態が安定的に保持できる。
【００４２】
また、第２本体部１０２にヒンジ結合されたサポート部材１２０の回動角を調節し、同時に、ベース部材１１０の引出長さを適切に調節することによって、使用者の体の条件と使用習慣に合わせてタブレットＰＣの傾斜角度を多様に調節することができる。
【００４３】
以上、本発明は限定された実施例と図面によって説明されたが、本発明はこれによって限定されるのではなく、本発明が属する技術分野において通常の知識を有する者によって本発明の技術思想と特許請求範囲の均等範囲内で多様な修正及び変形が可能であることは勿論である。例えば、上述した実施例では、サポート部材１２０が第２本体部１０２にヒンジ結合されて、ベース部材１１０によって支えられることで説明したが、このような例に限定されないで、サポート部材１２０はベース部材１１０にヒンジ結合されて、第２本体部１０２を支持することも可能である。
【産業上の利用可能性】
【００４４】
本発明によれば、底面に傾斜するようにタブレットＰＣを固定させることができ、傾斜角度を自在に調節することができるタブレットＰＣ用ケースを具現することができる。
【００４５】
また、本発明によるタブレットＰＣ用ケースは、ベース部材とサポート部材がケースの本体に収納された状態で、必要時のみに外部に引出されるので、見掛けが優れ、携帯性の良い長所がある。
【図１】
2014508356.tif 000003
【図２】
2014508356.tif 000004
【図３】
2014508356.tif 000005
【図４】
2014508356.tif 000006
【図５】
2014508356.tif 000007
【図６】
2014508356.tif 000008
【図７】
2014508356.tif 000009
【図８】
2014508356.tif 000010
【図９】
2014508356.tif 000011
【国際調査報告】
2014508356.tif 000012
2014508356.tif 000013
2014508356.tif 000014
2014508356.tif 000015